(57)【要約】【課題】  ２つの電池を使用する場合、電池２つのバッテリ残量を全体として表示する。【解決手段】  カメラ内の電池、バッテリグリップ内の電池いずれか一方の電池を選択的に使用し、電源ＯＮ時には電池残量の多い電池を選択する。一方、バッテリ残量を示す残量マークＮＢを、４つの態様によって表示部に表示する。電池残量が次の段階へ移行するために残量マークＮＢの表示態様を変更する必要がある場合、カメラ電池とグリップ電池の残っている電圧が比較され、残量の多い電池を使用する。そして、各電池の消耗具合に関らず、残量マークＮＢを段階的にＡ、Ｂ、Ｃ、Ｄ段階に応じた表示態様で順番に表示する。【選択図】  図７
2006003501.tif 000002
【特許請求の範囲】
【請求項１】
カメラ本体と、
前記カメラ本体内に収納され、前記カメラ本体に電源供給する第１の電池と、
前記カメラ本体に電源供給する補助用の第２の電池を有し、前記カメラ本体に着脱自在に取り付けられる補助電源アクセサリと、
前記第１および第２の電池のバッテリ残量を検出するバッテリ残量検出手段と、
前記第１および第２の電池のうちバッテリ残量がより多い電池を選択的に使用する電池選択手段と、
選択された電池のバッテリ残量を段階的に示すように、シンボルマークを表示するバッテリ残量表示手段とを備え、
前記バッテリ残量表示手段が、電池のとりうる電圧範囲に設定された一連の区間に対し、バッテリ残量が同じ区間内である時には同一の表示態様で前記シンボルマークを表示し、
前記電池選択手段が、使用している電池のバッテリ残量が次の区間へ移行する切替レベルに達した場合、前記第１および第２の電池のうちバッテリ残量がより多い電池を選択することを特徴とするカメラシステム。
【請求項２】
カメラ本体に収納される第１の電池と、前記カメラ本体に着脱自在に取り付けられる補助電源アクセサリ内に収納される第２の電池とのバッテリ残量を検出するバッテリ残量検出手段と、
前記第１および第２の電池のうちバッテリ残量がより多い電池を選択的に使用する電池選択手段と、
選択された電池のバッテリ残量を段階的に示すように、シンボルマークを表示するバッテリ残量表示手段とを備え、
前記バッテリ残量表示手段が、電池のとりうる電圧範囲に設定された一連の区間に対し、バッテリ残量が同じ区間内である時には同一の表示態様で前記シンボルマークを表示し、
前記電池選択手段が、使用している電池のバッテリ残量が次の区間へ移行する切替レベルに達した場合、前記第１および第２の電池のうちバッテリ残量がより多い電池を選択することを特徴とするカメラ用電源制御装置。
【請求項３】
携帯型電子機器に収納される第１の電池と、前記携帯型電子機器に着脱自在に取り付けられる補助電源アクセサリ内に収納される第２の電池とのバッテリ残量を検出するバッテリ残量検出手段と、
前記第１および第２の電池のうちバッテリ残量がより多い電池を選択的に使用する電池選択手段と、
選択された電池のバッテリ残量を段階的に示すように、シンボルマークを表示するバッテリ残量表示手段とを備え、
前記バッテリ残量表示手段が、電池のとりうる電圧範囲に設定された一連の区間に対し、バッテリ残量が同じ区間内である時には同一の表示態様で前記シンボルマークを表示し、
前記電池選択手段が、使用している電池のバッテリ残量が次の区間へ移行する切替レベルに達した場合、前記第１および第２の電池のうちバッテリ残量がより多い電池を選択することを特徴とする携帯型電子機器用電源制御装置。
【請求項４】
前記カメラに対する電源供給状態の変化があるか否かを検出する電源供給状態検出手段をさらに有し、
前記バッテリ残量検出手段が、電源供給状態の変化がある場合、前記第１および第２の電離のバッテリ残量を両方検出することを特徴とする請求項１に記載のカメラシステム。
【請求項５】
前記バッテリ残量検出手段が、使用している電池のバッテリ残量が次の区間へ移行する切替レベルに達していない場合、使用している電池のバッテリ残量のみ検出することを特徴とする請求項１に記載のカメラシステム。
【請求項６】
前記バッテリ残量検出手段が、使用している電池のバッテリ残量が次の区間へ移行する切替レベルに達した場合、前記第１および第２の電離のバッテリ残量を両方検出することを特徴とする請求項１に記載のカメラシステム。
【発明の詳細な説明】
【技術分野】
【０００１】
本発明は、カメラやＰＤＡなど携帯型電子機器に一体的に取り付けられる補助電源装置に関し、特に、電池残量に基づいた電源制御に関する。
【背景技術】
【０００２】
一眼レフカメラの場合、本体内部に装着される電池だけでなく、補助用外部電源としていわゆるバッテリグリップが着脱自在に装着可能である（例えば特許文献１参照）。バッテリグリップ内に設けられた電池により、撮影枚数が大幅に増加し、電池交換までの使用期間が延びる。また、カメラの表示部では電池の残量が表示され、電池残量が液晶モニタ上で段階的に表示される（例えば特許文献２参照）。
【特許文献１】特開平９−４３６７３号公報（図２、図５）
【特許文献２】特開２００３−２１５６９０号公報（図６）
【発明の開示】
【発明が解決しようとする課題】
【０００３】
電池残量表示はカメラ本体内の電池もしくはバッテリグリップ内の電池いずれか一方のみ表示される。そのため、両方の電池を選択的に使用する場合、電池残量は２つの電池全体の残量ではなく使用電池の残量として表示されることから、ユーザはカメラ全体の電池残量を確認することができない。さらに、電池残量の表示は使用電池の切替に従って増加することが生じる。そのため、ユーザは電池残量を考慮しながら電池交換時期、撮影回数を決めることができない。
【課題を解決するための手段】
【０００４】
本発明のカメラシステムは、バッテリグリップなど補助電源アクセサリが接続可能であり、カメラ内の電池とアクセサリ内の電池を選択的に使用可能なカメラシステムである。
カメラシステムは、カメラ本体と、カメラ本体内に収納され、カメラ本体に電源供給する第１の電池と、カメラ本体に電源供給する補助用の第２の電池を有し、カメラ本体に着脱自在に取り付けられる補助電源アクセサリとを備える。
【０００５】
さらに、第１および第２の電池のバッテリ残量を検出するバッテリ残量検出手段と、第１および第２の電池のうちバッテリ残量がより多い電池を選択的に使用する電池選択手段と、選択された電池のバッテリ残量を段階的に示すように、シンボルマークを表示するバッテリ残量表示手段とを備える。バッテリ残量表示手段は、電池のとりうる電圧範囲に設定された一連の区間に対し、バッテリ残量が同じ区間内である時には同一の表示態様でシンボルマークを表示する。したがって、一方の電池のバッテリ残量のみ表示する。また、残量電圧の連続的減少に合わせて連続的に変化するような表示は行わない。電池選択手段は、使用している電池のバッテリ残量が次の区間へ移行する切替レベルに達した場合、第１および第２の電池のうちバッテリ残量がより多い電池を選択することを特徴とする。
【０００６】
本発明のカメラ用電源制御装置は、  カメラ本体に収納される第１の電池と、カメラ本体に着脱自在に取り付けられる補助電源アクセサリ内に収納される第２の電池とのバッテリ残量を検出するバッテリ残量検出手段と、第１および第２の電池のうちバッテリ残量がより多い電池を選択的に使用する電池選択手段と、選択された電池のバッテリ残量を段階的に示すように、シンボルマークを表示するバッテリ残量表示手段とを備え、バッテリ残量表示手段が、電池のとりうる電圧範囲に設定された一連の区間に対し、バッテリ残量が同じ区間内である時には同一の表示態様でシンボルマークを表示し、電池選択手段が、使用している電池のバッテリ残量が次の区間へ移行する切替レベルに達した場合、第１および第２の電池のうちバッテリ残量がより多い電池を選択することを特徴とする。
【０００７】
本発明の携帯型電子機器用電源制御装置は、携帯型電子機器に収納される第１の電池と、携帯型電子機器に着脱自在に取り付けられる補助電源アクセサリ内に収納される第２の電池とのバッテリ残量を検出するバッテリ残量検出手段と、第１および第２の電池のうちバッテリ残量がより多い電池を選択的に使用する電池選択手段と、選択された電池のバッテリ残量を段階的に示すように、シンボルマークを表示するバッテリ残量表示手段とを備え、バッテリ残量表示手段が、電池のとりうる電圧範囲に設定された一連の区間に対し、バッテリ残量が同じ区間内である時には同一の表示態様でシンボルマークを表示し、電池選択手段が、使用している電池のバッテリ残量が次の区間へ移行する切替レベルに達した場合、第１および第２の電池のうちバッテリ残量がより多い電池を選択することを特徴とする。アクセサリ取り外しなどを考慮し、例えば、前記カメラに対する電源供給状態の変化があるか否かを検出する電源供給状態検出手段をさらに備える。この場合、前記バッテリ残量検出手段は、電源供給状態の変化がある場合、前記第１および第２の電離のバッテリ残量を両方検出する。バッテリ残量を効率よく行うため、バッテリ残量検出手段は、使用している電池のバッテリ残量が次の区間へ移行する切替レベルに達していない場合、使用している電池のバッテリ残量のみ検出するのがよい。例えば、バッテリ残量検出手段は、使用している電池のバッテリ残量が次の区間へ移行する切替レベルに達した場合、前記第１および第２の電離のバッテリ残量を両方検出する。
【発明の効果】
【０００８】
本発明によれば、２つの電池を消耗に合わせて切替、選択しながら使用しても、バッテリ残量は徐々に減少していくようにシンボルマークが表示され、ユーザは２つの電池を合わせた全体の電池消耗経過を確認することができる。
【発明を実施するための最良の形態】
【０００９】
以下、図面を参照して本発明の実施形態について説明する。
【００１０】
図１は、本実施形態であるカメラの斜視図である。図２は、本実施形態であるカメラのブロック図である。
【００１１】
カメラ１０は、静止画像を記録、表示可能な一眼レフ型デジタルカメラであり、補助用電源アクセサリであるバッテリグリップ１１が着脱自在にカメラ１０の底面に装着される。カメラ本体１０Ｂ内部には電池２３Ａが電池収納室内に収納され、バッテリグリップ１１内にも電池２３Ｂが収納されている。ユーザがカメラを使用するため電源ダイヤル１３を操作すると、メインスイッチＳ１がＯＮ状態になり、図２に示す電源回路１４から各回路へ電源が供給される。なお、カメラ１０はデジタル一眼レフ型カメラであるが、銀塩フィルムを使用するカメラを適用してもよい。
【００１２】
図１に示すレリーズボタン１９に対する半押し操作によって測光スイッチＳ２（図２参照）がＯＮ状態になると、測光制御部４２において被写体の明るさが検出され、被写体の明るさに応じた絞り値、シャッタスピードが演算される。そしてレリーズボタン１９の全押し操作によってレリーズスイッチＳ３がＯＮになると、シャッタ（図示せず）が所定時間開閉する。レンズ４７を通った光によって被写体像がＣＣＤ３２の受光面に形成され、被写体像に応じた画像信号がＣＣＤ３２から読み出される。ＣＣＤ３２から読み出された画像信号は信号処理回路３６において処理され、圧縮処理された後に画像データがメモリカード形式のメモリ（図示なし）へ記録される。モードダイヤル１５に対する操作により再生モードが設定されると、記録された画像データが読み出され、記録画像がＬＣＤ３８へ表示される。
【００１３】
カメラ１０には、カメラ１０全体を制御するシステムコントロール回路１２が設けられており、ＣＰＵ４１およびカメラの動作を制御するプログラム等を格納したＲＯＭ４３、必要に応じて設定されたデータを一時的に格納するＲＡＭ４５などが組み込まれている。システムコントロール回路１２は、ＣＣＤ駆動回路３４、ＬＣＤ駆動部４０、測光制御部４２、焦点調整制御部４４、レンズ４７を駆動するレンズ駆動部４６、シャッタ駆動部４８、パルスジェネレータ５０、表示部５２へそれぞれ制御信号を出力する。
【００１４】
バッテリグリップ１１を使用する場合、図１に示すように、バッテリグリップ１１の接続端子１７がカメラ１０に接触するとともに、所定の付勢部材（図示せず）によってカメラ１０の底面にカメラ１０に固定される。このとき、ピン２１の接触によってグリップスイッチＳ４がＯＮ状態になり、バッテリグリップ１１の装着が検出される。また、電池残量、露出値や文字情報などが表示部５２に表示され、その他のスイッチＳ５の状態に応じて表示処理が実行される。
【００１５】
図３は、電源回路１４の回路図である。
【００１６】
カメラ１０に対しては、カメラ１０内の電池２３Ａ、バッテリグリップ１１内の電池２３Ｂ、あるいは外部の商用電源を利用して電源供給可能であり、電源回路１４は、いずれか一つの電源を選択し、各回路へ電源を供給する。
【００１７】
電源回路１４は、４つのスイッチ６４、６６、６８、７０と、電圧検出器６２と、ダイオードＤ１〜Ｄ４と、ＡＮＤ回路７３、７６と、ＯＲ回路７２、７４とを備える。ＯＲ回路７２、７４は、システムコントロール回路１２から端子Ｇ１への入力信号に基づいてＨｉｇｈ／Ｌｏｗレベルの信号を出力する。ＡＮＤ回路７３は、端子Ｇ２への入力信号に基づいてＨｉｇｈ／Ｌｏｗレベルの信号を出力し、ＡＮＤ回路７６は、端子Ｇ３への入力信号に基づいてＨｉｇｈ／Ｌｏｗレベルの信号を出力する。
【００１８】
カメラ１０内の電池２３Ａによって電源供給する場合、スイッチ６４、６８をＯＮ状態にする信号をＯＲ回路７２、７４から出力させるとともに、スイッチ６６をＯＮ状態にする信号をＡＮＤ回路７３から出力させるように、端子Ｇ１、Ｇ２へ制御信号がシステムコントロール回路１２から送られる。一方、スイッチ７０をＯＦＦ状態に維持させる信号をＡＮＤ回路７６から出力させるように、端子Ｇ３へ制御信号（ＯＦＦ信号）が出力される。
【００１９】
バッテリグリップ１１の補助電池２３Ｂにより電源供給する場合、ＯＲ回路７２、７４からスイッチ６４、６８をＯＮ状態にする信号を出力させるとともに、ＡＮＤ回路７６からスイッチ７０をＯＮ状態にする信号を出力させるように、端子Ｇ１、Ｇ３へ制御信号（ＯＮ信号）が出力される一方、ＡＮＤ回路７３からスイッチ６６をＯＦＦ状態に維持させる信号を出力させるように、端子Ｇ２へ制御信号（ＯＦＦ信号）が出力される。
【００２０】
電圧検出器６２は、ＡＣ／ＤＣアダプタ２５がカメラ１０に接続されているか、すなわち商用電源を使用しているか否かを検出する。ＡＣ／ＤＣアダプタ２５が接続されている場合、検出信号が端子Ｇ４を介してシステムコントロール１２へ送られる。そして、スイッチ６６、７０をＯＦＦ状態に切り替える。なお、カメラ使用中にグリップ装着、取り外しを可能にするため、端子Ｇ１は通常ＯＮ状態に維持される。
【００２１】
図４〜図１１を用いて、カメラ使用中における電源制御処理およびバッテリ残量表示処理について説明する。
【００２２】
図４は、システムコントロール回路１２において実行されるカメラの動作処理を示したフローチャートである。カメラ１０の電源がＯＮ状態になると処理が開始される。
【００２３】
ステップＳ１０１では、初期設定処理が実行され、ＣＰＵ４１のレジスタ初期設定、ＲＯＭ４３内のデータ読み出しなどが実行される。そしてステップＳ１０２では、初期バッテリチェック処理が実行される。
【００２４】
図５は、図４のステップＳ１０２のサブルーチンである初期バッテリチェック処理を示した図である。
【００２５】
ステップＳ２０１では、ＡＣ／ＤＣアダプタ２５を介して電源が供給されているか否かが検出される。商用電源から電源供給されていると判断された場合、電池２３Ａ、２３Ｂを使用しないように、電源回路１４へ制御信号が出力される。一方、ＡＣ／ＤＣアダプタ２５を介して外部電源が供給されていないと判断された場合、ステップＳ２０２へ進む。
【００２６】
ステップＳ２０２では、カメラ１０内の電池２３Ａのバッテリチェックを行うため、電池２３Ａから電源が供給される（電圧が入力される）ように、制御信号が電源回路１４へ送られる。そして、ステップＳ２０３では、電池２３Ａの電圧Ｖｂが検出され、バッテリ残量が検出される。
【００２７】
一方、バッテリグリップ１１内の電池２３Ｂのバッテリチェックを行うため、ステップＳ２０４では、電池２３Ｂから電源が供給される（電圧が入力される）ように、制御信号が電源回路１４へ送られる。そして、ステップＳ２０５では、電池２３Ｂの電圧Ｖｇが検出され、バッテリ残量が検出される。ステップＳ２０５が実行されると、ステップＳ２０６へ進み、電池２３Ａの電圧Ｖｂが電池２３Ｂの電圧Ｖｇより低いか否かが検出される。本実施形態では、バッテリ残量のより多い電池が使用される。
【００２８】
ステップＳ２０６において電圧Ｖｂが電圧Ｖｇより低いと判断された場合、ステップＳ２０７へ進み、バッテリグリップ１１内の電池２３Ｂを使用してカメラ１０へ電源を供給することが選択、決定されるとともに、残量電圧Ｖｃが電圧Ｖｇに設定される。残量電圧Ｖｃは、使用されている電池のバッテリ残量を表し、残量電圧Ｖｃに基づいてバッテリ残量表示が実行される。ステップＳ２０７が実行されると、ステップＳ２０８へ進む。
【００２９】
ステップＳ２０８では、バッテリグリップ１１が未装着でも電圧が検出されてしまうことを考慮し、バッテリグリップ１１が装着されているか否かが判断される。バッテリグリップ１１が装着されていないと判断されるとステップＳ２０９へ進み、後述するバッテリのＮＧ状態表示が設定される。一方、バッテリグリップ１１が装着されていると判断されると、ステップＳ２１２へ進む。
【００３０】
一方、ステップＳ２０６において、電圧Ｖｂが電圧Ｖｇ以上であると判断された場合、ステップＳ２１０へ進み、カメラ本体１０Ｂ内の電池２３Ａを使用してカメラ１０へ電源供給することが選択、決定されるとともに、残量電圧Ｖｃが電圧Ｖｂに設定される。ステップＳ２１１では、電池２３Ａから電圧供給されるように、制御信号が電源回路１４へ送られる。ステップＳ２１１が実行されると、ステップＳ２１２へ進む。
【００３１】
ステップＳ２１２では、使用する電池のバッテリ残量を表示するための表示態様を決めるバッテリ残量表示設定処理が施される。
【００３２】
図６は、図５のステップＳ２１２のサブルーチンであるバッテリ残量表示設定処理を示した図である。図７は、バッテリ残量の表示を示した図である。図８は、バッテリ残量表示の各段階に応じた残量電圧Ｖｃの範囲を示した図である。
【００３３】
図８に示すように、バッテリ残量はＡ〜Ｄの４段階に分けられている。ここでは、残量電圧Ｖｃが最大電圧Ｖmaxからその半分の電圧（以下では、ハーフ電圧という）ＶHの範囲をＡ段階、ハーフ電圧ＶHからバッテリ残量が僅かな状態である電圧（以下では、少量電圧という）ＶEまでの範囲をＢ段階、少量電圧ＶEから電池交換の必要性のある電圧（以下では、使用限度電圧という）ＶNまでの範囲をＣ段階、使用限度電圧ＶN以下の範囲をＤ段階に定めている。
【００３４】
図７に示すように、カメラ１０を使用している間、残量マークＮＢが４段階に応じて液晶の表示部５２に表示される。残量マークＮＢは、フレーム形状であるセグメントＦ３と、セグメントＦ３の半分のエリアを占めるセグメントＦ１と、残りの半分のエリアを占めるセグメントＦ２とによって構成される。残量電圧ＶｃがＡ段階にある場合、第１〜第３のセグメントＦ１〜Ｆ３がすべて表示され、Ｂ段階にある場合、第１、第３のセグメントＦ１、Ｆ３が表示される。残量電圧ＶｃがＣ段階にある場合、第３のセグメントＦ３のみ表示され、Ｄ段階にある場合、第３のセグメントＦ３が点滅表示される。なお、なんらかの理由で電源供給不能であり、カメラの撮影動作を行えない場合、Ｄ段階における残量マークＮＢが表示される。また、商用電源が使用されている場合、残量マークＮＢは表示されない。
【００３５】
図６のステップＳ３０１では、残量電圧Ｖｃが使用限度電圧ＶN以下であるか否かが判断される。残量電圧Ｖｃが使用限度電圧ＶN以下であると判断された場合、ステップＳ３０２へ進み、Ｄ段階に応じた残量マークＮＢを表示させるようにフラグが設定される。
【００３６】
一方、残量電圧Ｖｃが使用限度電圧ＶN以下ではないと判断された場合、ステップＳ３０３へ進み、残量電圧Ｖｃが少量電圧ＶE以下であるか否かが判断される。残量電圧Ｖｃが少量電圧ＶE以下であると判断された場合、ステップＳ３０４へ進み、Ｃ段階に応じた残量マークＮＢを表示させるようにフラグが設定される。
【００３７】
一方、残量電圧Ｖｃが少量電圧ＶE以下ではないと判断された場合、ステップＳ３０５へ進み、残量電圧Ｖｃがハーフ電圧ＶH以下であるか否かが判断される。残量電圧Ｖｃがハーフ電圧ＶHであると判断された場合、ステップＳ３０６へ進み、Ｂ段階に応じた残量マークＮＢを表示させるようにフラグが設定される。一方、残量電圧Ｖｃがハーフ電圧ＶHではないと判断された場合、ステップＳ３０７へ進み、Ａ段階に応じた残量マークＮＢを表示させるようにフラグが設定される。
【００３８】
図５のステップＳ２１２の処理が実行されると、図４のステップＳ１０３へ進む。
【００３９】
図４のステップＳ１０３では、ユーザにより電源ＯＦＦ操作が行われたか否かが判断され、ＯＦＦ操作が行われた場合にはステップＳ１０４へ進み、電源ＯＦＦ処理が実行される。一方、ＯＦＦ操作が行われていない場合、ステップＳ１０５へ進み、電源チェック処理が実行される。
【００４０】
図９は、図４のステップＳ１０５のサブルーチンである電源チェック処理を示した図である。
【００４１】
ステップＳ４０１では、外部の商用電源使用のためＡＣ／ＤＣアダプタ２５が接続されたか否かが判断され、ＡＣ／ＤＣアダプタ２５が接続されたと判断された場合、ステップＳ４０５へ進み、商用電源が使用されるように制御信号が電源回路１４へ送られる。一方、ＡＣ／ＤＣアダプタ２５が接続されていないと判断された場合、ステップＳ４０２へ進む。
【００４２】
ステップＳ４０２では、外部電源使用時にＡＣ／ＤＣアダプタ２５が取り外されたか否かが判断される。ＡＣ／ＤＣアダプタ２５が取り外されたと判断された場合、ステップＳ４０６へ進む。ステップＳ４０６では、図５、６に示す初期バッテリチェック処理が実行される。一方、ＡＣ／ＤＣアダプタ２５は取り外されていないと判断された場合、ステップＳ４０３へ進み、バッテリグリップ１１が装着されているか否かが判断される。バッテリグリップ１１が装着されていると判断された場合、ステップＳ４０６へ進み、初期バッテリチェック処理が実行される。すなわち、電源供給状態が変化したため、全ての電池に対してバッテリチェックが行われる。
【００４３】
一方、ステップＳ４０３においてバッテリグリップ１１が装着されていないと判断された場合、ステップＳ４０４へ進み、バッテリグリップ１１内の電池２３Ｂ使用時にバッテリグリップ１１が取り外されたか否かが判断される。バッテリグリップ１１内の電池２３Ｂ使用時にバッテリグリップ１１が取り外されたと判断された場合、ステップＳ４０６へ進み、初期バッテリチェック処理が実行される。ステップＳ４０６が実行されると、図４のステップＳ１０６へ進む。
【００４４】
図４のステップＳ１０６では、図６のステップＳ３０２、Ｓ３０４、Ｓ３０６あるいはＳ３０７において定められたフラグに基づき、残量マークＮＢが表示部５２に表示される。すなわち、Ａ〜Ｄ段階のうち残量電圧Ｖｃの値を含む段階に応じた残量マークＮＢが図７に示すいずれかの表示態様で表示される。ステップＳ１０６が実行されると、ステップＳ１０７へ進み、レリーズボタン１９に対する半押し操作によって測光スイッチＳ２がＯＮ状態になっているか否かが判断される。撮影のためレリーズボタン１９に対する半押し操作が行われたと判断されるとステップＳ１０８へ進み、バッテリチェック処理が実行される。
【００４５】
図１０は、図４のステップＳ１０８のサブルーチンであるバッテリチェック処理を示した図である。
【００４６】
ステップＳ５０１では、図６のステップＳ３０２、Ｓ３０４、Ｓ３０６、あるいはＳ３０７において設定された残量表示用のフラグが一時的に保持される。すなわち、残量マークＮＢの表示態様が検出される。ステップＳ５０２では、ＡＣ／ＤＣアダプタ２５が接続されているか否かが判断され、ＡＣ／ＤＣアダプタ２５が接続されていないと判断された場合、ステップＳ５０３へ進み、バッテリグリップ１１が装着されていないか否かが判断される。
【００４７】
ステップＳ５０３において、バッテリグリップ１１が装着されていないと判断された場合、ステップＳ５０７へ進み、カメラ１０内の電池２３Ａの電圧が入力されるように制御信号が電源回路１４へ送られる。そして、ステップＳ５０８では、電池２３Ａの今現在の電圧Ｖｂが検出される。ステップＳ５０９では、検出された電圧Ｖｂが残量電圧Ｖｃとして設定される。ステップＳ５０９が実行されると、ステップＳ５１０へ進む。
【００４８】
一方、ステップＳ５０３において、バッテリグリップ１１が装着されていると判断された場合、ステップＳ５０４へ進む。ステップＳ５０４では、図５のステップＳ２０７、Ｓ２１０により選択された電池の電圧を検出可能とするため、制御信号が電源回路１４へ送られる。そしてステップＳ５０５では、今現在の電圧ＶｂまたはＶｇが検出される。ステップＳ５０６では、検出された電圧Ｖｂ（Ｖｇ）が残量電圧Ｖｃとして設定され、ステップＳ５１０へ進む。バッテリ残量表示が切り替わらない間、ステップＳ５０５、Ｓ５０６の実行によい単独（使用されている）電池のみに対してバッテリチェックが行われる。
【００４９】
ステップＳ５１０では、ステップＳ５０６もしくはＳ５０９において設定された残量電圧Ｖｃに応じた残量マークＮＢの表示態様と、ステップＳ５０１で保持されたフラグに応じた残量マークＮＢの表示態様が一致するか否かが判断される。すなわち、使用している電池が減少したことによって残量電圧ＶｃがＡ段階からＢ段階、Ｂ段階からＣ段階、あるいはＣ段階からＤ段階へ移るため、残量マークＮＢの表示態様を変化させる必要があるか否かが判断される。
【００５０】
ステップＳ５１０において、残量マークＮＢを変化させる必要があると判断された場合、ステップＳ５１１へ進み、図５に示す初期バッテリチェック処理が実行される。すなわち、すべての電池に対してバッテリチェックが行われ、バッテリ残量の多い電池が選択される。一方、残量マークＮＢを変化させる必要がないと判断された場合、ステップＳ５１２へ進み、図６に示すバッテリ残量表示設定処理が実行される。ステップＳ５１１またはＳ５１２が実行されると、図４のステップＳ１０９へ進む。
【００５１】
図４のステップＳ１０９では、残量電圧ＶｃがＤ段階にあって撮影不可能であるか否かが判断される。撮影不可能ではないと判断された場合、ステップ１１０へ進み、撮影動作処理が実行される。
【００５２】
図１１は、図４のステップＳ１１０のサブルーチンである撮影動作処理を示した図である。
【００５３】
ステップＳ６０１は、撮影動作処理のループ時間を計測するため時間のカウントが開始される。ここでは、１２８ｍｓの倍数であるＰＨタイマ時間をループ処理時間としてチェックする。ステップＳ６０２では、図９に示す電源チェック処理が実行される。ステップＳ６０３では、カード蓋が開放されている等のレリーズできない測光ＯＦＦ条件であるか否かが判断され、測光ＯＦＦ条件でないと判断されると、ステップＳ６０４へ進む。
【００５４】
ステップＳ６０４では、測定された被写体の明るさに基づいてシャッタスピード、絞り値が演算され、また、焦点調整のためレンズが駆動される。ステップＳ６０５では、レリーズボタン１９に対する全押し操作が実行されてレリーズスイッチＳ３がＯＮ状態であるか否かが判断される。レリーズスイッチＳ３がＯＮ状態であると判断されると、ステップＳ６０６においてバッテリチェック処理が実行され、ステップＳ６０７ではバッテリ残量がないため撮影不可能であるか否かが判断される。そして、ステップＳ６０８では、被写体像を記録する記録処理が実行される。
【００５５】
ステップＳ６０９では、１２８ｍｓの倍数であるＰＨタイマ時間をチェックし、ＰＨタイマのカウントを行う。そしてステップＳ６１０では、ＰＨタイマ時間経過したため撮影動作処理を終了するか否かが判断される。ＰＨタイマ時間経過したと判断されると、撮影動作処理は終了する。
【００５６】
以上のように本実施形態によれば、カメラ１０内の電池２３Ａ、バッテリグリップ１１内の電池２３いずれか一方の電池が選択的に使用され、電源ＯＮ時には電池残量の多い電池が使用される。一方、バッテリ残量を示す残量マークＮＢは、４つの態様によって表示部５２に表示される。電池残量が次の段階へ移行するために残量マークＮＢの表示態様を変更する必要がある場合、電池２３Ａと電池２３Ｂの残っている電圧が比較され、残量の多い電池が使用される。これにより、残量マークＮＢは電池２３Ａ、２３Ｂ全体の残量を示すことになり、段階的にＡ、Ｂ、Ｃ、Ｄ段階に応じた表示態様で順番に表示される。
【００５７】
このように、一方の電池の消耗によってＣ、Ｄ段階に応じた残量マークＮＢが表示された後に他方の電池を切替使用することによってＡ段階の残量マークＮＢを表示させることがなく、ユーザに電池の消耗具合について混乱を生じさせない。
【００５８】
残量マークは、さらに多くの表示態様で表示してもよく、電池の電圧をさらに複数の段階に区分してもよい。
【００５９】
カメラの代わりに、携帯電話、ＰＤＡなど他の携帯型電子機器であって、補助電源を使用可能であり、１つの電池に対してバッテリ残量を表示可能な電子機器に適用してもよい。
【図面の簡単な説明】
【００６０】
【図１】本実施形態であるカメラの斜視図である。
【図２】本実施形態であるカメラのブロック図である。
【図３】電源回路の回路図である。
【図４】システムコントロール回路において実行されるカメラの動作処理を示したフローチャートである。
【図５】図４のステップＳ１０２のサブルーチンである初期バッテリチェック処理を示した図である。
【図６】図５のステップＳ２１２のサブルーチンであるバッテリ残量表示設定処理を示した図である。
【図７】バッテリ残量の表示を示した図である。
【図８】バッテリ残量表示の各段階に応じた残量電圧の電圧レベルを示した図である。
【図９】図４のステップＳ１０５のサブルーチンである電源チェック処理を示した図である。
【図１０】図４のステップＳ１０８のサブルーチンであるバッテリチェック処理を示した図である。
【図１１】図４のステップＳ１１０のサブルーチンである撮影動作処理を示した図である。
【符号の説明】
【００６１】
１０  カメラ
１０Ｂ  カメラ本体
１１  バッテリグリップ（補助電源アクセサリ）
１２  システムコントロール回路
１４  電源回路
２３Ａ  電池（第１の電池）
２３Ｂ  電池（第２の電池）
ＮＢ  残量マーク（シンボルマーク）
５２  表示部
Ｖｃ  残量電圧
【図１】
2006003501.tif 000003
【図２】
2006003501.tif 000004
【図３】
2006003501.tif 000005
【図４】
2006003501.tif 000006
【図５】
2006003501.tif 000007
【図６】
2006003501.tif 000008
【図７】
2006003501.tif 000009
【図８】
2006003501.tif 000010
【図９】
2006003501.tif 000011
【図１０】
2006003501.tif 000012
【図１１】
2006003501.tif 000013